(57)【要約】【課題】砕氷効果およびスリップ防止効果に富む砕氷マットを提供する。【解決手段】柔軟性および弾力性に富む素材にてマットを形成し、マット下部に変形部と非変形部を交互に配列形成したことを特徴とする。【選択図】　　　図３
2004097756.tif 000002
【特許請求の範囲】
【請求項１】
柔軟性および弾力性に富む素材にてマットを形成し、マット下部に変形部と非変形部を交互に配列形成したことを特徴とする砕氷マット。
【発明の詳細な説明】
【０００１】
【発明の属する技術分野】
この発明は、マット上を歩行することにより生ずるマット形状の変形にて、マット上に形成された着氷層を容易に破壊することのできる砕氷マットに関する。
【０００２】
【従来の技術】
従来より、マット上に形成された着氷層を破壊する目的で、複数層に形成されたマットの一部に柔軟性素材を用いてその変形により砕氷するものはあるが、本発明にて示すように、マットに変形部と非変形部を交互に配置した構成のものは見当たらない。
【０００３】
【発明が解決しようとする課題】
近年、住宅玄関に階段を設ける様式が増えてきている。
この階段は、タイル張り、コンクリート、鉄板などにてつくられるが、降雪地域では階段に降り積もった雪が歩行等にて圧雪となり、あるいは日中と夜間との温度差によって凍結して着氷状態となって、滑りやすく歩行に危険な状態となりがちである。
そのため、階段上に特殊マットを敷いて、歩行によって起きるマットの変形により着氷を破壊するものが利用されつつある。
それはゴム製の多層構造マットで、層の一部にスポンジなどの柔軟性および弾力性に富む素材を用い、歩行時にはマットの一部が荷重による弾性変形を起こし、着氷とマット表面との間に形状変化が生じて着氷を破壊するものである。
しかし、幾度も使用しているとマットがへたりを起こし、つまり非荷重時の復元力が減少してしまい、当初の目的を達することが困難となる課題を有していた。
また、マット表面には平行の線状凸部が形成されており、この線状凸部に直角な方向へはその摩擦力にてスリップを防げるものの、平行な方向ではスリップ防止力が小さく、歩行者の安全性を欠くという問題があった。
本発明は、以上のような従来からの砕氷マットに関わる課題を解決するために発明されたもので、マット下部に変形部と非変形部を交互に配置するとともに、マット表面に格子状のスリップ防止機構を設けて、全方向のスリップ防止を可能として、砕氷機能とスリップ防止機能に優れるとともに、その耐久性にも富んだ新規なる砕氷マットを提供することを目的として開発されたものである。
【０００４】
【課題を解決するための手段】
課題を解決する手段として本発明は、マット下部に変形部と非変形部を交互に配列してその主要部を構成した。
すなわち、柔軟性および弾力性に富む素材にてマットを形成し、マット下部に変形部と非変形部を交互に配列形成する。
本発明は以上の構成よりなる砕氷マットである。
【０００５】
【発明の実施の形態】
本発明を使用するには、まず階段等に本発明品をビス止めその他の手段にて取り付ける。マット上に着氷となったとき、このマット上を歩行すると、その体重にてマットに荷重が加わり、マットの一部が変形する。
すなわち、変形部には副凸部が複数本位置しており、この副凸部の周囲には空隙部分が存在する。従って、この副凸部は荷重を受けて弾性変形を起こし、変形部上面は凹んだ形となる。また、非変形部には主凸部が位置し、この主凸部は副凸部に比べて断面面積が大きく、荷重が加わってもその変形量は微少である。
そのため、歩行による荷重にて変形個所と非変形個所ができ、マット表面は緩やかに波打った形状となって、マット表面の着氷も荷重を受けて破壊され、マット上から着氷を容易に除去することができる。
【０００６】
【実施例】
以下、本発明の実施例について説明する。
図において、１は着色薄ゴム製の表層で、その表面は多数の格子状に仕切られ、この格子にて囲まれる各部は緩やかな凸面状に形成される。また、その表面には微細凹凸（図示略）が形成される。
２は中間層で、表層よりやや厚く形成され、ナイロンワイヤー３が格子状に埋設される。４は変形層で、その下方に向けて多数の凸部が形成される。
この凸部は図３にて示すように、略Ｙ字形の主凸部５と、円柱形の副凸部６および７にて形成される。これらの凸部は幾何的に規則性をもって連続的に形成される。主凸部により囲まれる略円形状の部分内に、副凸部６を中心に６個の副凸部７が等配に配置されて、これらの副凸部が位置する部分は変形部８となり、主凸部が位置する部分は押圧に対する変形が小さく、非変形部９となる。
なお、以上の表層、中間層、変形層ともにゴム製で、中間層および変形層は弾力の大きなゴムにて形成され、各層は固着されて一体となっている。
以上が本発明の一実施例である。
【０００７】
本発明の概要については既述したが、本例では表層、中間層、変形層の三層にてマットを形成した。
表層は多数に仕切られた凸面状の表面を有し、かつ微細凹凸がその表面に設けられているため、全方向に対するノンスリップ効果が得られる。
中間層にはナイロンワイヤーが埋設されているので、縦横方向へのマットの伸びを規制し、使用中のマットの引き裂けを防止することができる。
変形層には適度の弾力性を有するゴムを使用し、上述のように変形部と非変形部を連続形成して当初の目的を達するよう構成した。
従来品は弾力素材を複数層に形成した構造であるが、本発明は下部に凸部を有した構造であり、多くの空隙部分を有している。そのため、従来品にはない融雪効果を発揮することができる。
晴天の場合、砕氷マット上面は直射日光にて暖められ、夜間は放射冷却される。
従来品には本発明のような空隙部分がないため、マット内部の温度は外気温に追随するが、本発明では上記の空隙内の空気は日中に暖められ、夜間でも空気断熱効果のためしばらくはその温度を保つことができて、外気温とマット内部温度に差ができ、マット上面への着氷を緩和することができる。
【０００８】
また、従来品は一方向のみの線状凸部によってスリップ防止としており、螺旋階段に装備するときにはマット素材の切り捨て部分が多くなり、コスト的なロスが大きくなるが、本発明は全方向のスリップを防止する形状となっているので、このロスが小さくなって経済的にも有利である。
図６〜図７は本発明の他例を示すもので、変形層の凸部形状を変化させた例であり、表層および中間層については第１実施例と同様である。なお、本発明品の固定は、コンクリート等にアンカーを埋め込み、ビス止めなどの手段によって行われる。そして、ビス止めのため、冬期以外は取り外すことができ、長期間の使用が可能である。
以上説明したように、本発明によって砕氷効果、スリップ防止効果ともに大きく、またスポンジ構造を用いないので復元力および耐久性にも優れた砕氷マットを得ることができる。
【０００９】
【発明の効果】
本発明によれば、マット下部に変形部と非変形部を交互に配列形成しているので、歩行による押圧にてマット表面が波打ったように変形するため、着氷が破壊されて容易に除去することのできる、有用なる物品を提供することができる。
【図面の簡単な説明】
【図１】本発明の平面図
【図２】本発明の正面図
【図３】本発明の底面図
【図４】本発明の要部拡大図（正面視）
【図５】本発明の使用状態図
【図６】本発明の他例を示す底面図
【図７】本発明の他例を示す底面図
【符号の説明】
１　表層
２　中間層
３　ナイロンワイヤー
４　変形層
５　主凸部
６　副凸部
７　副凸部
８　変形部
９　非変形部
１０着氷
１１主凸部
１２副凸部
１３副凸部
１４主凸部
１５副凸部
１６副凸部
【図１】
2004097756.tif 000003
【図２】
2004097756.tif 000004
【図３】
2004097756.tif 000005
【図４】
2004097756.tif 000006
【図５】
2004097756.tif 000007
【図６】
2004097756.tif 000008
【図７】
2004097756.tif 000009